(57)【要約】【課題】  蛍光体の種類に応じた放電特性の違いを緩和し駆動マージンを拡大することができるプラズマディスプレイ装置及びその駆動方法を提供する。【解決手段】  複数対の互いに平行に配置された第１及び第２の電極で繰り返し放電を行い表示セルを発光させるサステイン期間では、第１の電圧のサステインパルスを印加して繰り返し放電を行い、サステイン期間における最後のサステインパルス又はその１つ前のサステインパルスでは第１の電圧よりも高い第２の電圧を第１又は第２の電極に印加するとともに、第２の電圧のサステインパルスを印加している際には、第１及び第２の電極に略垂直な方向に配置された複数の第３の電極のうち、少なくとも１種類の蛍光体層に対応する第３の電極を他の蛍光体層に対応する第３の電極とは異なる電位にして放電特性の違いを緩和し駆動マージンを拡大できるようにする。【選択図】  図４
2007193032.tif 000002
【特許請求の範囲】
【請求項１】
複数対の互いに平行に配置された第１及び第２の電極が第１の基板上に形成され、前記第１及び第２の電極に略垂直な方向に配置された複数の第３の電極が前記第１の基板に対向する第２の基板上に形成され、各蛍光体が前記複数の第３の電極に対応して塗布された少なくとも３種類の蛍光体層を有するプラズマディスプレイ装置の駆動方法であって、
前記複数対の第１及び第２の電極で繰り返し放電を行い表示セルを発光させるサステイン期間では、第１の電圧のサステインパルスを印加して繰り返し放電を行い、当該サステイン期間における最後のサステインパルス又はその１つ前のサステインパルスでは第１の電圧よりも高い第２の電圧を前記第１又は第２の電極に印加するとともに、前記第２の電圧のサステインパルスを印加している際には、前記複数の第３の電極のうち、少なくとも１種類の蛍光体層に対応する第３の電極を他の蛍光体層に対応する第３の電極とは異なる電位にすることを特徴とするプラズマディスプレイ装置の駆動方法。
【請求項２】
前記サステイン期間の前記第２の電圧のサステインパルスを印加している期間だけ、前記複数の第３の電極のうち、少なくとも１種類の蛍光体層に対応する第３の電極を他の蛍光体層に対応する第３の電極とは異なる電位にすることを特徴とする請求項１記載のプラズマディスプレイ装置の駆動方法。
【請求項３】
前記蛍光体層は、赤、緑、青の３種類の蛍光体層であり、
前記第２の電圧のサステインパルスを印加している際に、前記複数の第３の電極のうち、前記赤の蛍光体層に対応する第３の電極を最も高電位にすることを特徴とする請求項１又は２記載のプラズマディスプレイ装置の駆動方法。
【請求項４】
前記蛍光体層は、赤、緑、青の３種類の蛍光体層であり、
前記第２の電圧のサステインパルスを印加している際の前記複数の第３の電極の電位は、前記赤の蛍光体層に対応する第３の電極の電位が最も高く、前記緑の蛍光体層に対応する第３の電極の電位が最も低いことを特徴とする請求項１又は２記載のプラズマディスプレイ装置の駆動方法。
【請求項５】
前記第２の電圧のサステインパルスを印加している際、前記赤の蛍光体層に対応する第３の電極の電位と、前記青の蛍光体層に対応する第３の電極の電位とは等しいことを特徴とする請求項４記載のプラズマディスプレイ装置の駆動方法。
【請求項６】
前記第２の電圧のサステインパルスを印加している際、前記緑の蛍光体層に対応する第３の電極の電位と、前記青の蛍光体層に対応する第３の電極の電位とは等しいことを特徴とする請求項４記載のプラズマディスプレイ装置の駆動方法。
【請求項７】
前記第２の電圧のサステインパルスを印加している際に、前記複数の第３の電極のうち、少なくとも１種類の蛍光体層に対応する第３の電極をフローティング状態にすることを特徴とする請求項１又は２記載のプラズマディスプレイ装置の駆動方法。
【請求項８】
前記サステイン期間では、前記第１の電極にサステインパルスを印加するとともに、当該サステインパルスに同期させて逆極性のサステインパルスを第２の電極に印加して繰り返し放電を行うことを特徴とする請求項７記載のプラズマディスプレイ装置の駆動方法。
【請求項９】
複数対の互いに平行に配置された第１及び第２の電極が第１の基板上に形成され、前記第１及び第２の電極に略垂直な方向に配置された複数の第３の電極が前記第１の基板に対向する第２の基板上に形成され、各蛍光体が前記複数の第３の電極に対応して塗布された少なくとも３種類の蛍光体層を有するプラズマディスプレイ装置であって、
前記複数対の第１及び第２の電極で繰り返し放電を行い表示セルを発光させるサステイン期間では、第１の電圧のサステインパルスを印加して繰り返し放電を行い、当該サステイン期間における最後のサステインパルス又はその１つ前のサステインパルスでは第１の電圧よりも高い第２の電圧を前記第１又は第２の電極に印加するとともに、前記第２の電圧のサステインパルスを印加している際には、前記複数の第３の電極のうち、少なくとも１種類の蛍光体層に対応する第３の電極の電位を他の蛍光体層に対応する第３の電極の電位と異ならせることを特徴とするプラズマディスプレイ装置。
【請求項１０】
前記サステイン期間の前記第２の電圧のサステインパルスを印加している期間だけ、前記複数の第３の電極のうち、少なくとも１種類の蛍光体層に対応する第３の電極の電位を他の蛍光体層に対応する第３の電極の電位と異ならせることを特徴とする請求項９記載のプラズマディスプレイ装置。
【請求項１１】
前記蛍光体層は、赤、緑、青の３種類の蛍光体層であり、
前記第２の電圧のサステインパルスを印加している際に、前記複数の第３の電極のうち、前記赤の蛍光体層に対応する第３の電極を最も高電位にすることを特徴とする請求項９又は１０記載のプラズマディスプレイ装置。
【請求項１２】
前記蛍光体層は、赤、緑、青の３種類の蛍光体層であり、
前記第２の電圧のサステインパルスを印加している際の前記複数の第３の電極の電位は、前記赤の蛍光体層に対応する第３の電極の電位が最も高く、前記緑の蛍光体層に対応する第３の電極の電位が最も低いことを特徴とする請求項９又は１０記載のプラズマディスプレイ装置。
【請求項１３】
前記第２の電圧のサステインパルスを印加している際に、前記複数の第３の電極のうち、少なくとも１種類の蛍光体層に対応する第３の電極をフローティング状態にすることを特徴とする請求項９又は１０記載のプラズマディスプレイ装置。
【発明の詳細な説明】
【技術分野】
【０００１】
本発明は、プラズマディスプレイ装置及びその駆動方法に関する。
【背景技術】
【０００２】
プラズマディスプレイ装置では、放電発光が行われる維持放電後の表示セル内の電荷消去が必要となり、その方法として様々な駆動方法が提案されている。提案されている駆動方法の１つに、維持放電が行われるサステイン期間において最後に印加するパルスの電圧を通常印加するものよりも高くする方法がある（例えば、特許文献１参照。）。
【０００３】
【特許文献１】特開２０００−８９７２０号公報
【発明の開示】
【発明が解決しようとする課題】
【０００４】
特許文献１に記載の消去方式において、対向電極間では、Ｘ又はＹ電極が陽極になりアドレス電極が陰極になる。この場合の放電特性は、アドレス電極側に形成されている蛍光体層の特性に大きく影響され、蛍光体の特性で決まる。そのため、蛍光体の種類（赤、緑、及び青）に応じて放電特性（例えば、放電開始電圧）が異なる。これにより、プラズマディスプレイ装置における駆動マージンが狭くなり、誤放電などの誤動作が起こる可能性が高くなる。
【０００５】
本発明は、蛍光体の種類に応じた放電特性の違いを緩和し駆動マージンを拡大することができるプラズマディスプレイ装置及びその駆動方法を提供することを目的とする。
【課題を解決するための手段】
【０００６】
本発明のプラズマディスプレイ装置の駆動方法は、複数対の互いに平行に配置された第１及び第２の電極が第１の基板上に形成され、前記第１及び第２の電極に略垂直な方向に配置された複数の第３の電極が前記第１の基板に対向する第２の基板上に形成され、各蛍光体が前記複数の第３の電極に対応して塗布された少なくとも３種類の蛍光体層を有するプラズマディスプレイ装置の駆動方法であって、前記複数対の第１及び第２の電極で繰り返し放電を行い表示セルを発光させるサステイン期間では、第１の電圧のサステインパルスを印加して繰り返し放電を行い、当該サステイン期間における最後のサステインパルス又はその１つ前のサステインパルスでは第１の電圧よりも高い第２の電圧を前記第１又は第２の電極に印加するとともに、前記第２の電圧のサステインパルスを印加している際には、前記複数の第３の電極のうち、少なくとも１種類の蛍光体層に対応する第３の電極を他の蛍光体層に対応する第３の電極とは異なる電位にすることを特徴とする。
【０００７】
また、本発明のプラズマディスプレイ装置は、複数対の互いに平行に配置された第１及び第２の電極が第１の基板上に形成され、前記第１及び第２の電極に略垂直な方向に配置された複数の第３の電極が前記第１の基板に対向する第２の基板上に形成され、各蛍光体が前記複数の第３の電極に対応して塗布された少なくとも３種類の蛍光体層を有するプラズマディスプレイ装置であって、前記複数対の第１及び第２の電極で繰り返し放電を行い表示セルを発光させるサステイン期間では、第１の電圧のサステインパルスを印加して繰り返し放電を行い、当該サステイン期間における最後のサステインパルス又はその１つ前のサステインパルスでは第１の電圧よりも高い第２の電圧を前記第１又は第２の電極に印加するとともに、前記第２の電圧のサステインパルスを印加している際には、前記複数の第３の電極のうち、少なくとも１種類の蛍光体層に対応する第３の電極の電位を他の蛍光体層に対応する第３の電極の電位と異ならせることを特徴とする。
【発明の効果】
【０００８】
本発明によれば、対応する蛍光体層に応じて第３の電極の電位を異ならせることで放電特性の違いを緩和して駆動マージンを拡大することができ、プラズマディスプレイ装置の安定した動作を実現することができる。
【発明を実施するための最良の形態】
【０００９】
以下、本発明の実施形態を図面に基づいて説明する。
図１は、本発明の一実施形態によるプラズマディスプレイ装置の構成例を示す図である。本実施形態におけるプラズマディスプレイ装置は、プラズマディスプレイパネル１、Ｘ駆動回路２、Ｙ駆動回路３、アドレス駆動回路４、及び制御回路５を有する。
【００１０】
Ｘ駆動回路２は、放電を繰り返す回路からなり、複数のＸ電極（維持電極）Ｘ１、Ｘ２、…、Ｘｎに所定の電圧を供給する。以下、Ｘ電極Ｘ１、Ｘ２、…、Ｘｎの各々を又はそれらの総称を、Ｘ電極Ｘｉといい、ｉは添え字を意味する。
【００１１】
Ｙ駆動回路３は線順次走査する回路と放電を繰り返す回路とからなり、複数のＹ電極（走査電極）Ｙ１、Ｙ２、…、Ｙｎに所定の電圧を供給する。以下、Ｙ電極Ｙ１、Ｙ２、…、Ｙｎの各々を又はそれらの総称を、Ｙ電極Ｙｉといい、ｉは添え字を意味する。
【００１２】
アドレス駆動回路４は表示すべき列を選択する回路からなり、複数のアドレス電極Ａ１、Ａ２、…に所定の電圧を供給する。また、アドレス駆動回路４は、後述する電荷消去期間において、アドレス電極Ａ１、Ａ２、…に選択的に所定の電圧を供給する。以下、アドレス電極Ａ１、Ａ２、…の各々を又はそれらの総称を、アドレス電極Ａｊといい、ｊは添え字を意味する。
【００１３】
制御回路５は、装置の外部から入力される表示データ、クロック信号、水平同期信号、及び垂直同期信号などに基づいて制御信号を生成する。制御回路５は、生成した制御信号をＸ駆動回路２、Ｙ駆動回路３、及びアドレス駆動回路４に供給し、これら駆動回路２〜４を制御する。
【００１４】
プラズマディスプレイパネル３では、Ｙ電極Ｙｉ及びＸ電極Ｘｉが水平方向に並列に延びる行を形成し、アドレス電極Ａｊが垂直方向に延びる列を形成する。Ｙ電極Ｙｉ及びＸ電極Ｘｉは、垂直方向に交互に配置される。すなわち、Ｙ電極Ｙｉ及びＸ電極Ｘｉは互いに平行に配置され、アドレス電極ＡｊはＹ電極Ｙｉ及びＸ電極Ｘｉに略垂直な方向に配置される。Ｙ電極Ｙｉ及びアドレス電極Ａｊは、ｉ行ｊ列の２次元行列を形成する。
【００１５】
表示セルＣｉｊは、Ｙ電極Ｙｉ及びアドレス電極Ａｊの交点並びにそれに対応して隣接するＸ電極Ｘｉにより形成される。この表示セルＣｉｊが画素に対応し、パネル３は２次元画像を表示することができる。Ｙ駆動回路３内の線順次走査する回路とアドレス駆動回路４とによりどこの表示セルを点灯させるかを決め、Ｘ駆動回路２とＹ駆動回路３内の放電を繰り返す回路とにより繰り返し放電を行うことによって、プラズマディスプレイ装置での表示動作が行われる。
【００１６】
図２は、本実施形態によるプラズマディスプレイパネル３の構造例を示す分解斜視図である。
Ｘ電極１１は図１に示したＸ電極Ｘｉに対応し、Ｙ電極１２は図１に示したＹ電極Ｙｉに対応する。Ｘ電極１１及びＹ電極１２は、前面ガラス基板１０上に互いに平行に配置され形成されている。その上には、放電空間に対し絶縁するための誘電体層１３が被着されている。さらにその上には、ＭｇＯ（酸化マグネシウム）保護層１４が被着されている。
【００１７】
また、アドレス電極１５Ｒ、１５Ｇ、１５Ｂは図１に示したアドレス電極Ａｊに対応する。アドレス電極１５Ｒ、１５Ｇ、１５Ｂは、前面ガラス基板１０と対向して配置された背面ガラス基板１９上に、Ｘ電極１１及びＹ電極１２と直交する方向に（交差するように）形成される。アドレス電極１５Ｒ、１５Ｇ、１５Ｂの上には、誘電体層１６が被着される。更にその上には、蛍光体１８Ｒ、１８Ｇ、１８Ｂが被着されている。リブ（隔壁）１７の内面には、赤、緑、青色の蛍光体１８Ｒ、１８Ｇ、１８Ｂがストライプ状に各色毎に配列、塗付されている。
【００１８】
詳細には、アドレス電極１５Ｒの上方に赤色の蛍光体１８Ｒが被着されており、アドレス電極１５Ｇの上方に緑色の蛍光体１８Ｇが被着されており、アドレス電極１５Ｂの上方に青色の蛍光体１８Ｂが被着されている。言い換えれば、リブ１７の内面に塗布されている赤、緑、青色の蛍光体１８Ｒ、１８Ｇ、１８Ｂに対応するようにしてアドレス電極１５Ｒ、１５Ｇ、１５Ｂが配置されている。
【００１９】
Ｘ電極１１及びＹ電極１２の間の放電によって蛍光体１８Ｒ、１８Ｇ、１８Ｂを励起して各色が発光する。前面ガラス基板１０及び背面ガラス基板１９との間の放電空間には、Ｎｅ＋Ｘｅペニングガス等が封入されている。
【００２０】
図３は、本実施形態による各フィールドの構成例を示す概念図である。本実施形態では、画像は、例えば６０フィールド／秒で形成される。１フィールドは、例えば、１０個のサブフィールド（第１のサブフィールド２１、第２のサブフィールド２２、…、第１０のサブフィールド３０）により形成される。各サブフィールド２１〜３０は、リセット期間Ｔｒ、アドレス期間Ｔａ、及びサステイン（維持放電）期間Ｔｓにより構成される。サステイン期間Ｔｓには、電荷消去期間Ｔｅが含まれる。なお、ここで言う電荷消去とは、セル内の電荷を完全に消去するのではなく、サステイン期間よりも電荷を減らすことを意味する。
【００２１】
リセット期間Ｔｒでは、Ｘ電極Ｘｉ及びＹ電極Ｙｉに所定の電圧を印加して、表示セルＣｉｊの初期化を行う。
【００２２】
アドレス期間Ｔａでは、アドレス指定により各表示セルＣｉｊの発光又は非発光の選択を行う。アドレス期間Ｔａでは、Ｙ電極Ｙ１、Ｙ２、…、Ｙｎに対してスキャンパルスを順次スキャンして印加し、そのスキャンパルスに対応してアドレスパルスをアドレス電極Ａｊに印加することにより表示セルＣｉｊの発光を選択する。
【００２３】
Ｙ電極Ｙｉのスキャンパルスに対応してアドレス電極Ａｊのアドレスパルスが生成されれば、そのＹ電極Ｙｉ及びＸ電極Ｘｉとアドレス電極Ａｊとにより形成される表示セルＣｉｊの発光が選択される。Ｙ電極Ｙｉのスキャンパルスに対応してアドレス電極Ａｊのアドレスパルスが生成されなければ、そのＹ電極Ｙｉ及びＸ電極Ｘｉとアドレス電極Ａｊとにより形成される表示セルＣｉｊの発光が選択されず、非発光が選択される。
【００２４】
スキャンパルスに対応してアドレスパルスが生成されると、アドレス電極Ａｊ及びＹ電極Ｙｉ間のアドレス放電が起こり、それを種火としてＸ電極Ｘｉ及びＹ電極Ｙｉ間での放電が起こる。これにより、Ｘ電極Ｘｉに負電荷が蓄積されるとともにＹ電極Ｙｉに正電荷が蓄積され、次のサステイン期間Ｔｓにおいて行うサステイン放電が可能な量の壁電荷が蓄積される。
【００２５】
サステイン期間Ｔｓでは、Ｘ電極Ｘｉ及びＹ電極Ｙｉ間に互いに逆相のサステインパルスが印加され、アドレス期間Ｔａにおいて選択された表示セルのＸ電極Ｘｉ及びＹ電極Ｙｉ間でサステイン放電を行い、発光を行う。図３に示す各サブフィールド２１〜３０では、Ｘ電極Ｘｉ及びＹ電極Ｙｉに印加されるサステインパルス数（各サブフィールドにおける発光回数）が異なる。したがって、各表示セルＣｉｊについて、サブフィールド２１〜３０での発光又は非発光を適宜選択することにより階調値を決めることができる。
【００２６】
ここで、サステイン期間Ｔｓ内の電荷消去期間Ｔｅでは、Ｘ電極Ｘｉ及びＹ電極Ｙｉ間に互いに逆相のサステインパルスが印加され、選択された表示セルのＸ電極Ｘｉ及びＹ電極Ｙｉ間でサステイン放電を行い、発光を行う。ただし、電荷消去期間Ｔｅにおいては、当該電荷消去期間Ｔｅ以外のサステイン期間Ｔｓにて印加されるサステインパルスよりも高圧（高電位）のサステインパルスがＸ電極Ｘｉ又はＹ電極Ｙｉに印加される。つまり、電荷消去期間Ｔｅでは、当該サブフィールドにおいて発光させる表示セルＣｉｊにおいて、サステイン放電による発光及び壁電荷の消去がともに行われる。これにより、サブフィールドにおいて発光させた表示セルＣｉｊと非発光の表示セルＣｉｊとのサステイン期間終了時における壁電荷量の差を緩和して、次のサブフィールドのリセット期間での初期化動作（リセットのための放電）を安定かつ確実に行うことができる。
【００２７】
図４は、図１に示したプラズマディスプレイ装置の動作例を示すタイミングチャートである。図４は、１フレームを構成する複数のサブフィールドのうちの１つのサブフィールド分において、Ｘ電極Ｘｉ、Ｙ電極Ｙｉ、アドレス電極Ａｊに係る波形例を示している。なお、図４において、奇数行のＸ電極Ｘｉ及びＹ電極ＹｉをそれぞれＸ電極Ｘｏ及びＹ電極Ｙｏで示し、偶数行のＸ電極Ｘｉ及びＹ電極ＹｉをそれぞれＸ電極Ｘｅ及びＹ電極Ｙｅで示している。また、アドレス電極Ａｊについては、対応する蛍光体の色毎に示しており、上方に赤色の蛍光体が被着されているアドレス電極をＡ（Ｒ）で示し、同様に上方に緑色及び青色の蛍光体が被着されているそれぞれのアドレス電極をＡ（Ｇ）及びＡ（Ｂ）で示している。上述したように１つのサブフィールドは、全面書き込み期間及び全面消去期間からなるリセット期間Ｔｒと、アドレス期間Ｔａと、電荷消去期間Ｔｅを含むサステイン期間Ｔｓとに区分される。
【００２８】
リセット期間Ｔｒにおいては、Ｙ電極Ｙｉ（Ｙｏ及びＹｅ）に徐々に電圧が増加する正の傾斜電圧パルス（書き込み鈍波）６０が印加され、Ｘ電極Ｘｉ（Ｘｏ及びＸｅ）に所定の負電圧（書き込み電圧）５０が印加される。そして、Ｙ電極Ｙｉ（Ｙｏ及びＹｅ）に印加する電圧がグランドレベルに戻された後、Ｙ電極Ｙｉ（Ｙｏ及びＹｅ）に徐々に電圧が減少する負の傾斜電圧パルス（調整鈍波）６１が印加され、Ｘ電極Ｘｉ（Ｘｏ及びＸｅ）に所定の正電圧（調整電圧）５１が印加される。
【００２９】
このようにして、リセット期間Ｔｒでは、Ｙ電極Ｙｉ（Ｙｏ及びＹｅ）とＸ電極Ｘｉ（Ｘｏ及びＸｅ）とで放電が行われ、壁電荷の形成（全面書き込み）及び壁電荷の消去（全面消去）を行う。リセット期間Ｔｒでは、すべての表示セルＣｉｊの初期化（リセット）が行われる。
【００３０】
次に、アドレス期間Ｔａにおいては、入力される表示データに応じて各表示セルＣｉｊのオン／オフを行うために、線順次でアドレス放電が行われる。本実施形態では、前半アドレス期間Ｔａ１では、奇数番目の行についてアドレス放電（アドレス選択）を行い、後半アドレス期間Ｔａ２では、偶数番目の行についてアドレス放電（アドレス選択）を行う。
【００３１】
前半アドレス期間Ｔａ１では、Ｘ電極Ｘｏには、スキャン電圧５２が印加される。また、ある奇数番目の表示ラインに相当するＹ電極Ｙｏに電圧を印加するときには、線順次により選択されたＹ電極Ｙｏにはスキャンパルス６２が印加され、非選択のＹ電極Ｙｏには所定の負電圧が印加される。なお、前半アドレス期間Ｔａ１において、Ｘ電極Ｘｅ及びＹ電極Ｙｅにはグランドレベルの電圧が印加される。
【００３２】
また、この前半アドレス期間Ｔａ１では、各アドレス電極Ａ（Ｒ）、Ａ（Ｇ）、Ａ（Ｂ）中の維持放電を起こす表示セル、すなわち発光させるセルに対応するアドレス電極Ａ（Ｒ）、Ａ（Ｇ）、Ａ（Ｂ）には、各行のスキャンパルス６２に同期してアドレスパルス７１、８１、９１が選択的に印加される。この結果、発光させる表示セルのアドレス電極Ａ（Ｒ）、Ａ（Ｇ）、Ａ（Ｂ）と線順次で選択されたＹ電極Ｙｏとの間で放電が起こり、これをプライミング（種火）としてＸ電極Ｘｏ及びＹ電極Ｙｏの上のＭｇＯ保護膜面に、次の維持放電が可能な量の壁電荷が蓄積される。
【００３３】
同様に、後半アドレス期間Ｔａ２では、Ｘ電極Ｘｅには、スキャン電圧５３が印加される。また、線順次により選択されたＹ電極Ｙｅにはスキャンパルス６３が印加され、非選択のＹ電極Ｙｅには所定の負電圧が印加される。なお、後半アドレス期間Ｔａ２において、Ｘ電極Ｘｏ及びＹ電極Ｙｏにはグランドレベルの電圧が印加される。
【００３４】
また、この後半アドレス期間Ｔａ２において、維持放電を起こす（発光させる）表示セルに対応するアドレス電極Ａ（Ｒ）、Ａ（Ｇ）、Ａ（Ｂ）には、各行のスキャンパルス６３に同期してアドレスパルス７２、８２、９２が選択的に印加される。この結果、発光させる表示セルのアドレス電極Ａ（Ｒ）、Ａ（Ｇ）、Ａ（Ｂ）と線順次で選択されたＹ電極Ｙｅとの間で放電が起こり、これをプライミング（種火）としてＸ電極Ｘｅ及びＹ電極Ｙｅの上のＭｇＯ保護膜面に、次の維持放電が可能な量の壁電荷が蓄積される。
【００３５】
サステイン期間Ｔｓでは、各表示ラインのＸ電極Ｘｉ（Ｘｏ及びＸｅ）とＹ電極Ｙｉ（Ｙｏ及びＹｅ）とに互いに極性の異なる電圧（サステインパルス、維持パルス）５４，５５、６４，６５を交互に印加して、発光する表示セルのＸ電極ＸｉとＹ電極Ｙｉ間でサステイン放電を行い１サブフィールドの映像を表示する。
【００３６】
なお、このサステイン期間Ｔｓにおいて、Ｘ電極Ｘｉ（Ｘｏ及びＸｅ）とＹ電極Ｙｉ（Ｙｏ及びＹｅ）に、最後及びその１つ前のサステインパルスが印加される期間を電荷消去期間Ｔｅと呼ぶ。
この電荷消去期間Ｔｅでは、まず、Ｘ電極Ｘｉ（Ｘｏ及びＸｅ）に通常のサステインパルス５４と同様のサステインパルス（消去前パルス）５６が印加され、Ｙ電極Ｙｉ（Ｙｏ及びＹｅ）に通常のサステインパルス６４より高い電圧のサステインパルス（消去前高圧パルス）６６が印加される。これにより、発光する表示セルのＸ電極ＸｉとＹ電極Ｙｉ間で通常のサステイン放電よりも強い放電を起こし、発光する表示セルのＸ電極ＸｉとＹ電極Ｙｉとに多くの壁電荷をもたせる。
【００３７】
このとき、陽極であるＹ電極Ｙｉ（Ｙｏ及びＹｅ）に対向するアドレス電極Ａ（Ｒ）、Ａ（Ｇ）、Ａ（Ｂ）には、Ｙ電極Ｙｉ（Ｙｏ及びＹｅ）との間で放電が発生することを防止するために、Ｙ電極Ｙｉ（Ｙｏ及びＹｅ）に印加される消去前高圧パルス６６に同期して選択的に所定の電圧が印加される。
【００３８】
ここで、Ｘ電極Ｘｉ（Ｘｏ及びＸｅ）又はＹ電極Ｙｉ（Ｙｏ及びＹｅ）が陽極になり、それに対向するアドレス電極Ａ（Ｒ）、Ａ（Ｇ）、Ａ（Ｂ）が陰極になる放電では、アドレス電極Ａ（Ｒ）、Ａ（Ｇ）、Ａ（Ｂ）の上方に形成される蛍光体層の特性が放電特性に大きく影響する。例えば、放電開始電圧は、赤色の蛍光体＜青色の蛍光体＜緑色の蛍光体の順の傾向がある。
【００３９】
そこで、本実施形態では、Ｙ電極Ｙｉ（Ｙｏ及びＹｅ）に消去前高圧パルス６６が印加されるのに同期して、アドレス電極Ａ（Ｒ）に消去ＲＡパルス７３を印加し、アドレス電極Ａ（Ｂ）に消去ＢＡパルス９３を印加する。なお、アドレス電極Ａ（Ｇ）はグランドレベルである。また、消去ＲＡパルス７３の電位は、消去ＢＡパルス９３の電位よりも高い。すなわち、Ｙ電極Ｙｉ（Ｙｏ及びＹｅ）に消去前高圧パルス６６が印加されているときのアドレス電極Ａ（Ｒ）、Ａ（Ｇ）、Ａ（Ｂ）の電位は、アドレス電極Ａ（Ｒ）がもっとも高く、アドレス電極Ａ（Ｇ）がもっとも低い。このように、消去前高圧パルス６６に同期して、アドレス電極Ａ（Ｒ）、Ａ（Ｇ）、Ａ（Ｂ）の電位を対応する蛍光体層に応じて異ならせることで対向放電の蛍光体の種類による違いを緩和して駆動マージンを拡大し駆動の安定化を図ることができる。
【００４０】
例えば、アドレス電極Ａ（Ｒ）への消去ＲＡパルス７３の印加は、当該消去ＲＡパルス７３の電位を供給する電源を用いて行われ、アドレス電極Ａ（Ｂ）への消去ＢＡパルス９３の印加は、当該消去ＢＡパルス９３の電位を供給する電源を用いて行われる。なお、アドレス電極Ａ（Ｂ）をフローティング状態にし消去前高圧パルス６６に誘導されることでアドレス電極Ａ（Ｂ）に消去ＢＡパルス９３を印加するようにしても良い。
【００４１】
電荷消去期間Ｔｅでは、続いて、Ｘ電極Ｘｉ（Ｘｏ及びＸｅ）に通常のサステインパルス５５よりも低い電圧のサステインパルス（消去パルス）５７が印加され、Ｙ電極Ｙｉ（Ｙｏ及びＹｅ）に通常のサステインパルス６５と同様のサステインパルス（消去パルス）６７が印加される。これにより、発光する表示セルのＸ電極ＸｉとＹ電極Ｙｉ間で、消去前パルス５６と消去前高圧パルス６６により形成された通常よりも多くの壁電荷を利用して、通常のサステイン放電よりも低い電圧を印加してサステイン放電を起こすことで、表示セルでの発光を行いながらもＸ電極ＸｉとＹ電極Ｙｉとの壁電荷を消去することが可能になる。
【００４２】
なお、上述した説明では、電荷消去期間Ｔｅにおいて、消去前高圧パルス６６がＹ電極Ｙｉ（Ｙｏ及びＹｉ）に印加される際、アドレス電極Ａ（Ｒ）に消去ＲＡパルス７３を印加し、アドレス電極Ａ（Ｂ）に消去ＢＡパルス９３を印加するようにしているが、本発明はこれに限定されるものではない。例えば、アドレス電極Ａ（Ｒ）のみ消去ＲＡパルス７３を印加し、その他のアドレス電極Ａ（Ｇ）、Ａ（Ｂ）にはグランドレベルの電圧を印加するようにしても良い。また、アドレス電極Ａ（Ｒ）のみフローティング状態にし、その他のアドレス電極Ａ（Ｇ）、Ａ（Ｂ）にはグランドレベルの電圧を印加するようにしても良い。
【００４３】
例えば、アドレス電極Ａ（Ｒ）、Ａ（Ｇ）、Ａ（Ｂ）の上方に形成される蛍光体層の特性に応じて、アドレス電極Ａ（Ｒ）、Ａ（Ｇ）、Ａ（Ｂ）の放電特性の１つである対向電極間での放電開始電圧が、赤色の蛍光体＜青色の蛍光体＜緑色の蛍光体の順の傾向がある場合には、消去前高圧パルス印加時のアドレス電極Ａ（Ｒ）、Ａ（Ｇ）、Ａ（Ｂ）の電位関係は、図５に示すような組み合わせが考えられる。図５においては、高電位がもっとも高い電圧を示しており、ＧＮＤがもっとも低い電圧であることを示している。また、フローティングは、高電位とＧＮＤとの間の中間の電位を示しており、アドレス電極をフローティング状態にするか、当該中間の電位を供給する電源を用いて実現される。
【００４４】
また、上述した実施形態では、サステイン期間Ｔｓ内の電荷消去期間Ｔｅにおいて、最終よりも１つ手前のサステインパルスを高圧にする場合を一例として説明したが、これに限定されるものではない。例えば、サステイン期間Ｔｓにおける最終のサステインパルスを通常のサステインパルスよりも非常に高圧にして、サステインパルスの印加により多量の壁電荷を形成し、その後Ｘ電極ＸｉとＹ電極Ｙｉとをグランドレベルにすることで形成された壁電荷により、いわゆる自己消去放電により電荷を消去するようにしても良い。この場合には、サステイン期間Ｔｓにおける最終のサステインパルスに同期して、アドレス電極Ａ（Ｒ）、Ａ（Ｇ）、Ａ（Ｂ）を所定の電位にするようにすれば良い。
【００４５】
なお、上述した実施形態は、何れも本発明を実施するにあたっての具体化のほんの一例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００４６】
【図１】本発明の一実施形態によるプラズマディスプレイ装置の構成例を示す図である。
【図２】本実施形態によるプラズマディスプレイパネルの構造例を示す分解斜視図である。
【図３】本実施形態による各フィールドの構成例を示す概念図である。
【図４】本実施形態によるプラズマディスプレイ装置の１サブフィールドの動作例を示すタイミングチャートである。
【図５】消去前高圧パルス印加時のアドレス電極Ａの電位関係の一例を示す図である。
【符号の説明】
【００４７】
１  プラズマディスプレイパネル
２  Ｘ駆動回路
３  Ｙ駆動回路
４  アドレス駆動回路
５  制御回路
１０  前面ガラス基板
１１  Ｘ電極
１２  Ｙ電極
１３、１６  誘電体層
１４  保護層
１５Ｒ、１５Ｇ、１５Ｂ  アドレス電極
１７  隔壁
１８Ｒ、１８Ｇ、１８Ｂ  蛍光体
１９  背面ガラス基板
【図１】
2007193032.tif 000003
【図２】
2007193032.tif 000004
【図３】
2007193032.tif 000005
【図４】
2007193032.tif 000006
【図５】
2007193032.tif 000007